(57)【要約】【課題】ストロボ以外の専用の機構を必要とすることなくバウンス撮影を行えるようにしたビデオカメラレコーダー等の撮像装置を得る。【解決手段】カメラ本体部１に開閉可能で、所定の角度旋回自在にされるようにした液晶表示パネル７を備えた撮像装置であって、液晶表示パネル７の背面にストロボ１０を内蔵したことによって、液晶表示パネル７自体を上向きに傾斜させたり、下向きに傾斜させることでストロボ１０が角度変更されバウンス撮影を容易行うことができるようにした。【選択図】      図４
2004328264.tif 000002
【特許請求の範囲】
【請求項１】
カメラ本体部の一部にヒンジ部を介して開閉可能であり、かつ所定の角度に旋回自在にされるようにし、撮影画像あるいは再生画像をモニタ表示できるようにした表示パネルを備えた撮像装置において、
上記表示パネルの表示面とは反対側の背面の所定位置にストロボ発光部を内蔵し、バウンス撮影を可能にしたことを特徴とする撮像装置。
【請求項２】
請求項１記載の撮像装置において、
上記ストロボ発光部はキセノン管であることを特徴とする撮像装置。
【請求項３】
請求項１記載の撮像装置において、
上記ストロボ発光部は発光ダイオードであることを特徴とする撮像装置。
【請求項４】
請求項１記載の撮像装置において、
撮像装置がビデオカメラレコーダーであることを特徴とする撮像装置。
【請求項５】
請求項１記載の撮像装置において、
撮像装置がデジタルスチルカメラであることを特徴とする撮像装置。
【発明の詳細な説明】
【０００１】
【発明の属する技術分野】
本発明は、例えばビデオカメラレコーダーやデジタルスチルカメラ等の内蔵型ストロボに使用して好適な撮像装置に関し、詳しくは、カメラ本体部に対して開閉可能で、所定の角度に旋回自在にされるようにした表示パネルの背面にストロボを内蔵したことによって、ストロボのための専用の機構や専用のアダプターを使用することなく、ストロボとしての基本機能やバウンス撮影機能も可能にしたものである。
【０００２】
【従来の技術】
従来、ビデオカメラレコーダーやデジタルスチルカメラ等の撮像装置では、ストロボ機能はカメラ本体部の前面部に固定式にされたものが一般的であるが、近年ではストロボの非使用時にはカメラ本体部内に格納されていて、ストロボの使用時には支点軸を支点にして飛び出すようにした、いわゆるポップアップ式ストロボやあるいはスライド式に飛び出すポップアップ式ストロボが採用されている。
【０００３】
【特許文献１】
特開平３−１３８６２８号公報
【０００４】
【特許文献２】
特開平６−２４２４９８号公報
【０００５】
【発明が解決しようとする課題】
ところが、これらのポップアップ式ストロボは専用のポップアップ機構が設けられており、このため、ストロボ機構自体がコスト的に高価であったり、ポップアップ機構のスペ−スを必要とするためストロボ全体の小型化にも不利となっていた。
【０００６】
また、上述したポップアップ式ストロボは、ポップアップされた撮影時と格納された非撮影時との２つの動作状態しか存在しないものが一般的であり、例えば、撮影の基本テクニックであるバウンス撮影を行う場合には、カメラ本体部に外付け式に取り付けたストロボに頼るしかなかった。
【０００７】
そこで、カメラ本体部に内蔵したストロボを使用してバウンス撮影を可能にしたものとして〔特許文献１〕には、モータを駆動源としてウォームギア及びウォームを使用してストロボを上下、左右方向に角度変更できるようにしたストロボ装置が記載されている。
【０００８】
また、〔特許文献２〕には、回折光学素子を使用してストロボの発光方向を変更できるようにした閃光発光装置が記載されている。
【０００９】
しかし、〔特許文献１〕のストロボ装置の場合は、発光管の他にモータやウォームギア及びウォーム等の専用の機構が必要となり、また、〔特許文献２〕の閃光発光装置の場合は発光管の他に回折光学素子やアダプター等が必要になり、いずれの場合もコスト的に高価であったり、スペ−スを必要とするためストロボ全体の小型化にも不利となるといった問題がある。
【００１０】
本発明は、上述したような課題を解消するためになされたもので、ストロボ管以外の専用の機構を一切必要とすることなくバウンス撮影を行えるようにした撮像装置を得ることを目的とする。
【００１１】
【課題を解決するための手段】
上述の目的を達成するため本発明による撮像装置は、カメラ本体部に開閉可能で、かつ所定の角度に旋回自在にされるようにした表示パネルを備えた撮像装置において、表示パネルの背面にストロボ発光部を内蔵したものである。
【００１２】
上述した撮像装置によれば、ストロボ発光部を表示パネルの背面に備えたことで、ストロボの基本機能の他、表示パネル自体を上向きに傾斜させることでストロボ発光部も上向きに角度変更でき、また、表示パネル自体を下向きに傾斜させることでストロボ発光部も下向きに角度変更させることができ、これによって、専用の機構を必要とすることなくバウンス撮影を行うことができる。
【００１３】
【発明の実施の形態】
以下、本発明による撮像装置の実施の形態をビデオカメラレコーダーを用いた場合を例にとって図面を参照して説明する。
【００１４】
図１はビデオカメラレコーダーの外観斜視図であり、符号１がカメラ本体であり、前面に撮影レンズ２を備え、カメラ本体１内には図示しないＣＣＤ等の光学機構部と記録媒体であるテープカセットやディスク等を用いた記録／再生機構部がある。カメラ本体１の上面には集音マイク３と、アクセサリーシュー４があり、また、カメラ本体１の背面にはビューファインダー５を備えている。尚、ビデオカメラレコーダーの操作ボタン等については図示せず説明は省略する。
【００１５】
さて、カメラ本体１の一側面にはヒンジ部６を介して液晶表示パネル７が外付け式に取り付けられている。この液晶表示パネル７には一側面側（図１では裏面側）に撮影画像や再生画像をモニタ表示するための液晶表示面８（図２参照）を備えている。
【００１６】
また、ヒンジ部６はＸ軸とＹ軸とからなる２軸ヒンジ機構であって、液晶表示パネル７はＹ軸を回動支点にして図１に示したようにカメラ本体１に対して直角向きに開放した状態で、液晶表示面８に映し出される画像をモニタリングしながら撮影することができたり、静止画をメモリーカード等に保存することができ、非撮影状態では液晶表示パネル７をカメラ本体１側に回動し閉止することで収納することができるようになっている。
【００１７】
また、液晶表示パネル７は図１に示した開放状態からＸ軸を回動支点にして所定の角度に自在に変更可能であり、しかも、液晶表示パネル７を１８０°反転して液晶表示面８を撮影レンズ２側へ向けることができるようになっている。
【００１８】
例えば、液晶表示パネル７の液晶表示面８を上向き傾斜することで、ローアングルの撮影が可能となり、液晶表示パネル７の液晶表示面８を下向き傾斜することで、ハイアングルの撮影が可能となり、また、液晶表示パネル７を１８０°反転することで、液晶表示面８が撮影レンズ２側に向くことになるので撮影者自身の撮影が可能となる。尚、符号９はビデオ本体１や液晶表示パネル７、後述するストロボへの電源を供給するための着脱可能の充電式のバッテリパックである。
【００１９】
ここで、本発明の特徴部分として、液晶表示パネル７の液晶表示面８とは反対側の背面にストロボ発光部となるストロボ１０が内蔵されている。このストロボ１０は図２に示すように発光管１１と反射面１２と透明なカバーガラス１３からなり、これ以外、モータやウォームギア、回折光学素子やアダプター等のような専用な機構は用いられていない。そして、液晶表示パネル７の背面にはストロボ１０による凹凸はなくフラットである。
【００２０】
発光管１１としては例えば発光効率の良いキセノン管等を使用するとよいが、その他、振動に強く長寿命である発光ダイオード（ＬＥＤ）等の使用も適している。
【００２１】
このように構成した撮像装置によれば、図３に示すように液晶表示パネル７を垂直向きに開いた通常の基本撮影状態では、ストロボ１０は撮影レンズ２の方向、つまり被写体方向に正対した状態となり、この状態で暗い部屋等において静止画を撮影するとき、ストロボ１０からの発光Ｌは被写体に直接光として照射されることになる。
【００２２】
ここで、図４にバウンス撮影するときの撮影状況を示す。この場合、液晶表示パネル７の液晶表示面８を所定角度下向き傾斜させることで、撮影レンズ２自体は被写体方向に正対した状態であるが、液晶表示パネル７の背面に内蔵されているストロボ１０が上向き角度に仰角し、これによって、静止画を撮影するとき、ストロボ１０からの発光Ｌは天井面１４に反射した間接光として被写体に照射され、いわゆる柔らかな光となりバウンス撮影が可能となる。
【００２３】
また、バウンス撮影はストロボ１０からの発光を天井面に反射させる以外、ここでは図示しないが、液晶表示パネル７を所定角度上向き傾斜させることで、撮影レンズ２自体は被写体方向に正対した状態であるが、液晶表示パネル７の背面に内蔵されているストロボ１０は下向き角度になり、これによって、ストロボ１０からの発光は床面等に反射した間接光として被写体に照射されバウンス撮影が可能となる。
【００２４】
上述したように本発明による撮像装置は、液晶表示パネル７の背面にストロボ１０を内蔵したことで、液晶表示パネル７の回転（旋回）角度を変更することによってストロボの発光方向を上下いずれかに変更することができ、液晶表示パネル７を利用して簡単にバウンス撮影を行うことができる。これによって、従来のようなモータやウォームギア、回折光学素子及びアダプター等の専用の機構を一切使用することもないため、コスト的に安価にでき、最少なスペースで済みストロボの小型化が図れる。
【００２５】
本発明は、上述しかつ図面に示した実施の形態に限定されるものでなく、その要旨を逸脱しない範囲内で種々の変形実施が可能である。
【００２６】
本例の実施の形態では、ストロボ１０は液晶表示パネル７の背面でヒンジ部６側の上部角部に設けた場合について説明したが、ヒンジ部６側の下部角部であってもよく、その他、液晶表示パネル７の背面であればストロボの取り付け位置は限定しない。
【００２７】
また、本発明によるストロボを備えた撮像装置は、ビデオカメラレコーダーに適用した例について説明したが、液晶表示パネルが開閉式であって角度変更可能な例えばデジタルスチルカメラ等にも広く適用可能である。
【００２８】
【発明の効果】
以上説明したように本発明による撮像装置は、カメラ本体部に開閉可能で、所定の角度旋回自在にされるようにした表示パネルを備えた撮像装置において、表示パネルの背面にストロボ発光部を内蔵したことによって、表示パネル自体を上向きに傾斜させたり、下向きに傾斜させることでストロボ発光部が角度変更されバウンス撮影を容易に行うことができるといった効果がある。しかも、従来のようにストロボ発光方向を変更させるための専用のモータやウォームギア機構、回折光学素子及びアダプターを一切使用することもなく、表示パネルの回転機能を利用できるため、コスト的に安価にでき、最少なスペースで済みストロボの小型化が図れるといった効果もある。
【図面の簡単な説明】
【図１】本発明の撮像装置の実施形態であるビデオカメラレコーダーの外観斜視図である。
【図２】液晶表示パネルにストロボを内蔵した一例の部分断面図である。
【図３】ストロボを撮影レンズ側に向けた通常の撮影状態の外観図である。
【図４】液晶表示パネルと共にストロボを上向きにしたバウンス撮影状態の外観図である。
【符号の説明】
１…カメラ本体、２…撮影レンズ、６…ヒンジ部、７…液晶表示パネル、８…液晶表示面、１０…ストロボ、１１…発光管、１２…反射面、１４…天井面
【図１】
2004328264.tif 000003
【図２】
2004328264.tif 000004
【図３】
2004328264.tif 000005
【図４】
2004328264.tif 000006